(57)【特許請求の範囲】
【請求項１】
２つの空間を連通する開口を形成する枠体と、
前記開口を開閉自在に前記枠体に支持される障子と、
前記枠体に設けられ、前記障子が閉じられたときに当該障子の戸先框と前記枠体との間に配置され、上下方向において互いに間隔を隔てて複数設けられる中間部材と、
を有し、
前記戸先框と前記中間部材とには、前記障子が閉じられた状態にて互いに対向する部位に各々磁性体が互い対向させて設けられており、前記磁性体の磁力により互いに対向する方向に引き付けられて前記障子の閉止状態が維持され、
前記戸先框に設けられた前記磁性体と前記中間部材に設けられた前記磁性体とは、見込み方向と所定の角度をなして交差する方向に対向していることを特徴とする建具。
【請求項２】
請求項１に記載の建具であって、
前記枠体は上下の横枠と左右の縦枠とが接合されて矩形状をなしており、
前記中間部材は、前記枠体の入隅部に設けられて前記横枠と前記縦枠との接合部を止水するためのコーナーブロックであることを特徴とする建具。
【請求項３】
請求項２に記載の建具であって、
前記左右の縦枠の一方は、前記障子が閉じられた際に前記戸先框側に位置する戸先側縦枠であり、
前記戸先側縦枠には、当該戸先側縦枠と前記戸先框との間を止水し、弾性変形可能な止水部材が前記戸先側縦枠に沿って上下方向に設けられており、
前記止水部材は、前記障子が閉じられた際に前記戸先框と前記中間部材との間に介在されることを特徴とする建具。
【発明の詳細な説明】
【技術分野】
【０００１】
本発明は、２つの空間を連通する開口を形成する枠体に支持されて開口を開閉自在に設けられる障子を有する建具に関する。
【背景技術】
【０００２】
２つの空間を連通する開口を形成する枠体に支持されて開口を開閉自在に設けられる障子を有する建具としては、例えば浴室と脱衣室との間の出入口を開閉自在な障子が設けられた建具が知られている（例えば、特許文献１参照）。このような浴室の建具は、障子を閉じた際に戸先框と枠体との間、特に、枠体の入隅部における戸先框と枠体との間にて浴室側の水が脱衣室側に漏れないように、枠体の入隅部に水返し等の機能を備えた部材が設けられているものがある。
【先行技術文献】
【特許文献】
【０００３】
【特許文献１】特開２００８−２２３２７４号公報
【発明の概要】
【発明が解決しようとする課題】
【０００４】
しかしながら、縦枠の入隅部に水返し部材が設けられていても、障子の反りなどの施工条件により障子の戸先框と枠体側との間に隙間が生じてしまう虞がある。戸先框と枠体側との間に隙間が生じてしまうと、開口が確実に閉止されないばかりでなく、止水性が低下して枠体と障子との間から水が浸入する虞があるという課題がある。
【０００５】
本発明は、かかる課題に鑑みてなされたものであり、その目的とするところは、障子により開口をより確実に閉止して閉止状態を維持することが可能であり、障子と枠体側との間における止水性に優れた建具を提供することにある。
【課題を解決するための手段】
【０００６】
かかる目的を達成するために本発明の建具は、２つの空間を連通する開口を形成する枠体と、前記開口を開閉自在に前記枠体に支持される障子と、前記枠体に設けられ、前記障子が閉じられたときに当該障子の戸先框と前記枠体との間に配置され、上下方向において互いに間隔を隔てて複数設けられる中間部材と、を有し、前記戸先框と前記中間部材とには、前記障子が閉じられた状態にて互いに対向する部位に各々磁性体が互い対向させて設けられており、前記磁性体の磁力により互いに対向する方向に引き付けられて前記障子の閉止状態が維持され、前記戸先框に設けられた前記磁性体と前記中間部材に設けられた前記磁性体とは、見込み方向と所定の角度をなして交差する方向に対向していることを特徴とする建具である。
このような建具によれば、開口を開閉自在に枠体に支持された障子が閉じられたときに障子の戸先框と枠体との間に配置される中間部材、及び、戸先框の、互いに対向する部位にそれぞれ磁性体が設けられており、障子を閉じたときには、戸先框の磁性体と中間部材の磁性体とが対向して引き付けられるので、障子に僅かな歪み等が生じていても戸先框と中間部材との間に隙間が生じることを防止することが可能である。また、戸先框の磁性体と中間部材の磁性体とが対向して互いに引き付けているので、障子を閉じる操作の際には、障子が閉じる方向に付勢され、容易にかつ確実に閉止することが可能である。このため、障子により開口をより確実に閉止して閉止状態を維持することが可能であり、障子と枠体側との間における止水性に優れた建具を提供することが可能である。
また、障子を閉止状態に維持する保持力を確保しつつも、障子を開く操作に必要な力を低減することが可能である。より具体的には、障子が閉じた状態から障子を開く際には、障子の戸先側を見込み方向に移動させる必要がある。このため、障子が閉じた状態にて戸先框に設けられた磁性体と中間部材に設けられた磁性体とが見込み方向に並べて配置されていると、磁力により互いに引き付け合う力が大きいので、障子を開くために大きな力が必要となる。ところが、上記建具のように戸先框に設けられた磁性体と中間部材に設けられた磁性体とが対向する方向が、見込み方向に対し所定の角度をなしている場合には、障子を開く操作の方向とは反対方向に作用する磁力が緩和され、両磁性体の見込み方向に互いに引き付ける力が軽減されるので、障子を閉止する力を大きく保ちつつ、障子を開きやすい建具を提供することが可能である。
【０００７】
かかる建具であって、前記枠体は上下の横枠と左右の縦枠とが接合されて矩形状をなしており、前記中間部材は、前記枠体の入隅部に設けられて前記横枠と前記縦枠との接合部を止水するためのコーナーブロックであることが望ましい。  
このような建具によれば、障子が閉じられたときに障子の戸先框と枠体との間に配置される中間部材は、矩形状をなす枠体の入隅部に設けられて横枠と縦枠との接合部を止水するためのコーナーブロックなので、縦枠の入隅部における横枠と縦枠との接合部からの水の浸入も防止することが可能である。
【０００９】
かかる建具であって、前記左右の縦枠の一方は、前記障子が閉じられた際に前記戸先框側に位置する戸先側縦枠であり、前記戸先側縦枠には、当該戸先側縦枠と前記戸先框との間を止水し、弾性変形可能な止水部材が前記戸先側縦枠に沿って上下方向に設けられており、前記止水部材は、前記障子が閉じられた際に前記戸先框と前記中間部材との間に介在されることが望ましい。  
このような建具によれば、障子が閉じられた際に戸先框側に位置する戸先側縦枠に、戸先側縦枠と戸先框との間を止水し、弾性変形可能な止水部材が戸先側縦枠に沿って上下方向に設けられているので、障子と戸先側縦枠との間の止水性に優れた建具を提供することが可能である。また、前記障子が閉じられた際には戸先框と中間部材との間に止水部材が介在されるので、障子を閉じた際に、戸先框が戸先側縦枠に近づいて戸先框が戸先側縦枠側に引き寄せられたときの衝撃や振動及び接触音の発生を抑えることが可能である。
【発明の効果】
【００１０】
本発明によれば、障子により開口をより確実に閉止して閉止状態を維持することが可能であり、障子と枠体側との間における止水性に優れた建具を提供することが可能である。
【図面の簡単な説明】
【００１１】
【図１】本実施形態に係る建具の横断面図である。
【図２】枠体の入隅部に設けられたコーナーブロックと戸先側縦枠に設けられた縦止水部材とを示す斜視図である。
【図３】障子が閉じられたときの戸先框を説明するための斜視図である。
【図４】障子開閉時の戸先框及びコーナーブロックに設けられたマグネットの位置を示す横断面図である。
【図５】建具に設けられるマグネットの配置の変形例を示す斜視図である。
【発明を実施するための形態】
【００１２】
以下、本発明の一実施形態に係る建具について図を参照して説明する。
【００１３】
本実施形態に係る建具１０は、図１に示すような、２つの空間としての浴室と脱衣室を連通する開口１０ａ(図２)を形成する枠体１１に支持されて開口１０ａを開閉自在に設けられる障子２０を備えた浴室用の建具１０を例に挙げて説明する。
【００１４】
以下の説明においては、建物等に取り付けられた状態の浴室用の建具１０を浴室側から見たときに、上下となる方向を上下方向、左右となる方向を左右方向または見付け方向、浴室内外方向である奥行き方向を見込み方向として示す。また、浴室用の建具１０が備える各部材は、単体として説明する場合であっても、建物等に取り付けられた状態で上下方向、見付け方向、見込み方向等となる方向にて方向を特定して説明する。
【００１５】
本実施形態の建具１０は、浴室と脱衣室とを連通する矩形状の開口１０ａを形成する枠体１１と、枠体１１に戸尻側が回動自在に支持されて、回動することにより開口１０ａを開閉自在に設けられた障子２０と、矩形状をなす枠体１１の浴室側の入隅部に設けられ、障子２０を閉じた際に戸先框２４と枠体１１との間に配置される中間部材としてのコーナーブロック３０、３１と、を有している。
【００１６】
枠体１１は、開口１０ａの上縁をなし上の横枠としての上枠１２と、開口１０ａの下縁をなし下の横枠としての下枠１３と、開口１０ａの左右の縁をなし、障子２０の戸尻側に位置する戸尻側縦枠１４と、障子２０の戸先側に位置する戸先側縦枠１５と、を有している。そして、上下に間隔を隔てて対向する上枠１２及び下枠１３の両端に戸尻側縦枠１４及び戸先側縦枠１５が突き当てられるとともに、戸尻側縦枠１４及び戸先側縦枠１５をそれぞれ見付け方向に貫通するビスが上枠１２または下枠１３に螺合されて矩形状に枠組みされている。ここで、上枠１２、下枠１３、戸尻側縦枠１４、戸先側縦枠１５は、いずれも押出成形部材である。
【００１７】
上枠１２は、図２に示すように、断面がほぼ矩形状をなす上中空部１２ａと、上中空部１２ａを構成し脱衣室に臨む上内面１２ｂを有する上脱衣室側壁部１２ｃが下方に延出されて、上脱衣室側壁部１２ｃとともに上内面１２ｂを形成する下方延出板状部１２ｄとを有しており、下方延出板状部１２ｄの下端部には、浴室側に向かって開放され見付け方向に沿って形成されて上止水部材（不図示）が嵌合される溝状の上止水部材嵌合部１２ｅが設けられている。
【００１８】
下枠１３は、図２に示すように、脱衣室側の床(不図示)の浴室側端部を上から覆う床覆い部１３ａと、床覆い部１３ａより浴室側に位置して床覆い部１３ａより低く形成された浴室側下枠部１３ｂと、を有している。床覆い部１３ａの浴室側の端部には、上方に向かって開放され見付け方向に沿って形成されて下止水部材（不図示）が嵌合される溝状の下止水部材嵌合部１３ｄが設けられている。そして、下止水部材嵌合部１３ｄと浴室側下枠部１３ｂとの境界部分は、浴室側下枠部１３ｂの方が低くなるような段差を有している。
【００１９】
浴室側下枠部１３ｂは、浴室内側に位置する内上面１３ｅと、下止水部材嵌合部１３ｄ側に位置する外上面１３ｆとを有しており、内上面１３ｅと外上面１３ｆとは互いに異なる角度の傾斜をなすように形成されている。具体的には、内上面１３ｅと外上面１３ｆとは、いずれも浴室側に向かって高さが低くなるような傾斜をなしており、内上面１３ｅの方が外上面１３ｆより傾斜が大きくなっている。
【００２０】
戸尻側縦枠１４及び戸先側縦枠１５は、図１に示すように左右が反転した対称の形状をなしている。戸尻側縦枠１４及び戸先側縦枠１５は、開口１０ａ(図２)に臨み互いに対面する平面を有する戸尻側壁部１４ａ及び戸先側壁部１５ａと、戸尻側壁部１４ａ及び戸先側壁部１５ａからそれぞれ開口１０ａの中央側に向かって突出され浴室に臨む面を有する戸尻側突出板状部１４ｂ及び戸先側突出板状部１５ｂと、を有しており、戸尻側突出板状部１４ｂ及び戸先側突出板状部１５ｂの開口１０ａ側の部位には、浴室側に向かって開放され上下方向に沿って形成されて縦止水部材１８が嵌合される溝状の縦止水部材嵌合部１４ｃ、１５ｃが設けられている。
【００２１】
上枠１２の下方延出板状部１２ｄと戸尻側突出板状部１４ｂ及び戸先側突出板状部１５ｂとは、上枠１２と戸尻側縦枠１４及び戸先側縦枠１５とが接合された際に、同一平面を形成するように構成されている。また、上止水部材嵌合部１２ｅに上止水部材（不図示）が、下止水部材嵌合部１３ｄに下止水部材（不図示）が、戸尻側縦枠１４及び戸先側縦枠１５の縦止水部材嵌合部１４ｃ、１５ｃに縦止水部材１８が、それぞれ取り付けられると、障子２０を閉じた際に、上止水部材、下止水部材、縦止水部材１８が障子２０の框２１、２２、２３、２４に全周に亘って当接されるように構成されている。ここで上止水部材、下止水部材、縦止水部材１８は、いずれも弾性変形可能な樹脂製の部材である。
【００２２】
障子２０は、開口１０ａを仕切る面材２５と、面材２５の上下に位置する上框２１（図４）及び下框２２（図４）と、面材２５の左右に位置する戸尻框２３及び戸先框２４と、障子２０を開閉するための操作部となるハンドル５０と、を有し、面材２５の周端部を収容しつつ上框２１、下框２２、戸尻框２３、戸先框２４とが枠組みされている。ここで、上框２１、下框２２、戸尻框２３、戸先框２４はいずれも押出成形部材であり、上框２１及び下框２２は、断面がほほ矩形状をなす中空の部材であり、戸尻框２３及び戸先框２４の断面は、障子２０の見付け方向の端部側に配置される部位が円弧状をなす中空の部材である。
【００２３】
戸尻框２３及び戸先框２４には、図３に示すように、上下端部に端部キャップ２６が設けられている。端部キャップ２６は、戸尻框２３及び戸先框２４の小口形状に合わせて形成されており、戸尻框２３及び戸先框２４の小口に当接される端部当接部２６ａと、端部当接部２６ａと一体となって戸尻框２３及び戸先框２４内に収容され、戸尻框２３及び戸先框２４に嵌合される端部被収容部２６ｂと、を有している。
【００２４】
また、戸先框２４の端部キャップ２６には、端部被収容部２６ｂ内に、端部被収容部２６ｂの内面に当接または近接させて磁性体としてのマグネット２７が嵌め込まれている。より具体的には、図１に示すように、マグネット２７は、戸先框２４の戸先側にて断面が円弧状をなす部位であって、障子２０を閉じた状態において端部キャップ２６の見込み方向において半分より脱衣室側にて、見込み方向に対して所定の角度αをなすように並べて配置されている。
【００２５】
コーナーブロック３０、３１は、戸先側縦枠１５が有する戸先側突出板状部１５ｂの浴室側の上下の端部側に設けられている。上側に位置する上コーナーブロック３０は、上枠１２と戸先側縦枠１５との接合部を覆うように設けられており、障子２０に設けられた端部キャップ２６の上下方向の長さとほぼ同じ長さを有している。上コーナーブロック３０は、戸先側縦枠１５の戸先側突出板状部１５ｂ及び戸先側壁部１５ａと上枠１２の上中空部１２ａを構成し開口１０ａに臨む下枠対向面１２ｆを有する下壁部１２ｇとに当接され、見付け方向には縦止水部材嵌合部１５ｃとほぼ同じ位置まで突出されている。また、障子２０が閉じられた際に戸先框２４側に臨む部位は、所定の角度αとほぼ直交する障子対向面３０ａを有している。さらに、上コーナーブロック３０における、枠体１１の入隅部側には、上枠１２と戸先側縦枠１５との接合部に向かって漸次浴室側に突出する傾斜面３０ｂが設けられている。
【００２６】
上コーナーブロック３０には、障子対向面３０ａの内側に障子対向面３０ａに沿うようにマグネット２７が嵌め込まれている。このマグネット２７は、上側の端部キャップ２６に設けられたマグネット２７とほぼ同一の幅を有し、障子２０を閉じた状態にて、戸先框２４の上側の端部キャップ２６に設けられたマグネット２７と互いに対向し互いに引き合うように配置されている。
【００２７】
下側に位置する下コーナーブロック３１は、下枠１３と戸先側縦枠１５との接合部を覆うとともに浴室側から脱衣室側に向かって進入する水を浴室側に戻すように設けられており、障子２０に設けられた端部キャップ２６の上下方向の長さとほぼ同じ長さを有している。下コーナーブロック３１は、戸先側縦枠１５の戸先側突出板状部１５ｂ及び戸先側壁部１５ａと下枠１３の外上面１３ｆとに当接され、見付け方向には縦止水部材嵌合部１５ｃとほぼ同じ位置まで突出されている。また、障子２０が閉じられた際に戸先框２４に臨む部位は、所定の角度αとほぼ直交する障子対向面３１ａを有している。さらに、下コーナーブロック３１における、枠体１１の入隅部側には、下枠１３と戸先側縦枠１５との接合部に向かって漸次浴室側に突出する傾斜面３１ｂが設けられている。
【００２８】
下コーナーブロック３１には、障子対向面３１ａの内側に障子対向面３１ａに沿うようにマグネット２７が嵌め込まれている。このマグネット２７は、下側の端部キャップ２６に設けられたマグネット２７とほぼ同一の幅を有し、障子２０を閉じた状態にて、戸先框２４の下側の端部キャップ２６に設けられたマグネット２７と互いに対向し互いに引き合うように配置されている。
【００２９】
そして、本実施形態の建具１０の障子２０が閉じられるときには、図４に示すように、戸先側縦枠１５の縦止水部材嵌合部１５ｃに嵌合された縦止水部材１８が、戸先框２４の上端側及び下端側にて、戸先框２４と上コーナーブロック３０及び下コーナーブロック３１とに狭持されるように構成されている。すなわち、障子２０が閉じられたときに、戸先框２４と上コーナーブロック３０及び下コーナーブロック３１とは縦止水部材１８を介して対向し、戸先框２４及び上下のコーナーブロック３０、３１に設けられたマグネット２７により互いに引き付けられて、縦止水部材１８が戸先框２４と上下のコーナーブロック３０、３１とにて狭持される。このとき、上下の端部キャップ２６に嵌め込まれているマグネット２７と、上下のコーナーブロック３０、３１に嵌め込まれたマグネット２７とが引き付け合うことにより縦止水部材１８は、確実に狭持される。
【００３０】
本実施形態の建具１０は、障子２０を閉じた状態に維持するための、所謂ラッチは設けられておらず、障子２０の戸先框２４と、上コーナーブロック３０及び下コーナーブロック３１とに設けられたマグネット２７の磁力により引き付けられて障子２０が閉じた状態が維持されるように構成されている。そして、枠体１１に設けられた上止水部材、下止水部材、縦止水部材１８が弾性変形して、障子２０の上框２１、下框２２、戸尻框２３、戸先框２４にそれぞれ押圧されることにより、障子２０と枠体１１との間を止水している。このとき、障子２０の戸尻框２３は枠体１１に支持されているため、戸尻框２３と縦止水部材１８とは押圧された状態が安定して維持されるが、開閉操作により縦止水部材１８との位置関係が変化する戸先框２４側は、縦止水部材１８が押圧された状態は維持されない。このため、開閉されて特に止水性を確保しにくい戸先側の入隅部に設けられている上下のコーナーブロック３０、３１と、戸先框２４の端部キャップ２６とにマグネット２７を備え、互いに引き寄せることにより、止水性を高めている。
【００３１】
本実施形態の建具１０によれば、開口１０ａを開閉自在に枠体１１に支持された障子２０が閉じられたときに障子２０の戸先框２４と枠体１１との間に配置されるコーナーブロック３０、３１、及び、戸先框２４の、互いに対向する部位にそれぞれマグネット２７が設けられており、障子２０を閉じたときには、戸先框２４のマグネット２７とコーナーブロック３０、３１のマグネット２７とが対向して互いに引き付け合うので、障子２０に歪み等が生じていても戸先框２４とコーナーブロック３０、３１との間に隙間が生じることを防止することが可能である。また、戸先框２４のマグネット２７とコーナーブロック３０、３１のマグネット２７とが対向して互いに引き付けているので、障子２０を閉じる操作の際には、障子２０は閉じる方向に付勢されて、容易にかつ確実に障子２０を閉止することが可能である。また、浴室の内側に向かって障子２０が開くように構成された建具１０において、マグネット２７により障子２０が閉じる方向に付勢されている場合には、浴室内の換気扇を作動させることにより障子２０が開く方向に力が作用しても、障子２０が開かないように磁力が作用するので、閉止状態にて障子２０を保持することが可能である。このため、障子２０により開口１０ａをより確実に閉止して閉止状態を維持することが可能であり、障子２０と枠体１１側との間における止水性及び操作性に優れた建具１０を提供することが可能である。
【００３２】
また、障子２０が閉じられたときに障子２０の戸先框２４と枠体１１との間に配置されるコーナーブロック３０、３１は、上枠１２と戸先側縦枠１５との接合部及び下枠１３と戸先側縦枠との接合部を覆って止水するので、より高い止水性を備えることが可能である。
【００３３】
本実施形態の建具１０は、障子２０が閉じた状態から障子２０を開く際には、障子２０の戸先側を見込み方向に移動させる必要がある。このため、障子２０が閉じた状態にて戸先框２４に設けられたマグネット２７とコーナーブロック３０、３１に設けられたマグネット２７とが見込み方向に並べて配置されていると、磁力による互いに引き付け合う力が大きいので、障子２０を開くために大きな力が必要となる。ところが、本実施形態の建具１０のように戸先框２４に設けられたマグネット２７とコーナーブロック３０、３１に設けられたマグネット２７とが対向する方向が、見込み方向に対し所定の角度αをなしている場合には、両マグネット２７により見込み方向に互いに引き付ける力が軽減されるので、障子２０を閉止する力を大きく保ちつつも障子２０を開く操作に必要な力が抑えられた、障子２０の操作性に優れた建具１０を提供することが可能である。
【００３４】
また、上コーナーブロック３０に嵌め込まれているマグネット２７と上側の端部キャップ２６に設けられたマグネット２７、及び、下コーナーブロック３１に嵌め込まれたマグネット２７と下側の端部キャップ２６に設けられたマグネット２７とは、いずれもほぼ同一の幅を有して対向するように構成されている。このため、障子２０を閉じるべく回動させたときには、マグネット２７の磁力により端部キャップ２６側のマグネット２７とコーナーブロック３０、３１側のマグネット２７とが対向する位置に戸先框２４が引き寄せられる。すなわち、端部キャップ２６側のマグネット２７とコーナーブロック３０、３１側のマグネット２７とを、意図する所定の位置にて対向するように配置することにより、障子２０を所望の位置にて閉止状態とすることが可能であり、また、閉止状態にて障子２０を保持させることが可能である。そして、マグネット２７が対向した状態にて障子２０を閉止状態にするとともに、マグネット２７が対向した状態にて一定の磁力を作用させて障子２０の閉止状態を維持させることが可能である。
【００３５】
また、戸先側縦枠１５には、障子２０が閉じられた際に戸先側縦枠１５と戸先框２４との間を止水し、弾性変形可能な縦止水部材１８が戸先側縦枠１５に沿って上下方向に設けられているので、障子２０と戸先側縦枠１５との間の止水性に優れた建具１０を提供することが可能である。また、障子２０が閉じられた際には戸先框２４とコーナーブロック３０、３１との間に縦止水部材１８が介在されるので、障子２０を閉じた際に、戸先框２４が戸先側縦枠１５に近づいて戸先框２４が戸先側縦枠１５側に引き寄せられたときの接触音の発生を抑えることが可能である。
【００３６】
また、本実施形態の建具１０は、障子２０の閉止状態を戸先框２４のマグネット２７とコーナーブロック３０、３１のマグネット２７との磁力により維持させることとしたので、所謂ラッチ機構を設ける必要がない。このため、ラッチ機構のような突出部を有していない本実施形態の戸先框２４は美観に優れており、また、戸先框２４へのラッチ機構の組み込みや、戸先側縦枠１５への加工も必要ないので製造性にも優れ、さらに、障子２０の開閉時にハンドルの回動操作も不要なので操作性にも優れている。また、ラッチ機構の係合時のように、完全な閉止状態となる前に部材同士が接触して本来不要な負荷が生じることはなく、また、その際の衝撃や振動及び接触音などの発生を抑えつつ障子２０を閉止することが可能である。さらに、戸先框２４のマグネット２７と引き付け合うマグネット２７をコーナーブロック３０、３１に設けたので、枠体１１側にマグネット２７を設けるための部材を新たに設けることなく枠体１１側にマグネット２７を設けることが可能である。
【００３７】
上記実施形態においては、戸先框２４における上端部及び下端部の端部キャップ２６にマグネット２７を備え、戸先框２４の上下端部をコーナーブロック３０、３１側に引き寄せて止水する形態について説明したが、これに限るものではない。例えば、図５に示すように、戸先框２４の中央近傍にマグネット２７を備えたブロック材２８を設け、戸先側縦枠１５の、戸先框２４の中央近傍と対向する部位にマグネットを備えたブロック材（不図示）を設けて、戸先框２４の上下端部及び中央近傍を戸先側縦枠１５側に引き寄せても良い。また、戸先框２４を戸先側縦枠１５側に引き寄せるためのマグネット２７は、上下の端部キャップ２６の間に複数備えていても良い。
【００３８】
また、上記実施形態においては、建具がラッチ機構を備えない例について説明したが、戸先框にラッチ機構を備え、戸先框のラッチ機構から離れた位置にマグネットにより閉止する機構を備えることとしてもよい。
【００３９】
上記実施形態においては、戸尻框２３が回動自在に支持された開き戸タイプの建具１０を例に挙げて説明したが、折れ戸タイプ、引き違いタイプ、及び、片引きタイプなどの建具であっても構わない。
【００４０】
上記実施形態においては、浴室建具を例に挙げて説明したが、これに限るものではない。例えば、屋内外の境界部に設けられる建具であっても構わない。この場合には、水が侵入する方向が本願と逆になる。すなわち、浴室建具の場合には、浴室側の水が脱衣室側、すなわち浴室内側から浴室外側への水の浸入を防止するが、屋内外の境界に設けられる建具の場合には、屋外側から屋内側への水の浸入を防止することになる。
【００４１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４２】
１０  建具、１０ａ  開口、１１  枠体、１２  上枠、１３  下枠、
１３ｂ  浴室側下枠部、１３ｆ  外上面、１４  戸尻側縦枠、
１５  戸先側縦枠、１８  縦止水部材、２０  障子、２４  戸先框、
２６  端部キャップ、２７  マグネット、２８  ブロック材、
３０  上コーナーブロック、３０ａ  障子対向面、３１  下コーナーブロック、
３１ａ  障子対向面、
α  所定の角度
【図１】
0005710377.tif 000002
【図２】
0005710377.tif 000003
【図４】
0005710377.tif 000004
【図３】
0005710377.tif 000005
【図５】
0005710377.tif 000006